(57)【要約】【課題】底面を垂直にした横向き姿勢の箱形コンテナを保持し、その底面に垂直な水平軸周りに回転させる箱形コンテナ洗浄装置用の箱形コンテナ回転駆動機構を提供する。【解決手段】箱型コンテナを収納保持するコンテナ収納部と、該コンテナ収納部を支持して回転駆動する回転駆動装置とで構成する。コンテナ収納部は厚みある円板体形状の籠状枠体とし、円板面を垂直にした状態にて箱型コンテナをその底面を円板面に平行にした垂直横向き姿勢で収納保持する。回転駆動装置は円板面を垂直にした状態のコンテナ収納部の両円板面中央から突出する回転軸を支持してコンテナ収納部を該軸回りに回転駆動させる。【選択図】図３
2019150749.tif 000002
【特許請求の範囲】
【請求項１】
上面が開口した四角箱型コンテナを洗浄、乾燥させる箱形コンテナ洗浄装置に使用する箱形コンテナ回転駆動機構であって、
該回転駆動機構は箱型コンテナを収納保持するコンテナ収納部と、該コンテナ収納部を支持して回転駆動する回転駆動装置とからなり、
前記コンテナ収納部は厚みある円板体形状に形成された籠状枠体で、円板面を垂直にした状態にて前記コンテナをその底面を円板面に平行にした垂直横向き姿勢で収納保持できるように構成され、
前記回転駆動装置は円板面を垂直にした状態の前記コンテナ収納部の両円板面中央から外方に突出する回転軸を支持してコンテナ収納部を該軸回りに回転駆動させるように構成されていることを特徴とする箱形コンテナ回転駆動機構。
【請求項２】
請求項１に記載の箱形コンテナ回転駆動機構において、前記コンテナ収納部は左右の円板面枠体と、両円板面枠体を平行な一定間隔に維持する４本の間隔棒と、前記箱型コンテナを収納保持するための収納保持部品と、回転軸とからなり、
前記左右の円板面枠体は、円板面外周を形成する外周円環状板と、円板面中心部を形成する中心円環状板と、該中心円環状板と外周円環状板とを繋ぐ等間隔放射状に設けた８本の狭幅板状梁とを一体成形して構成され、各梁にはボルト挿通孔が円板径方向に等間隔で多数形成されており、
前記間隔棒は、前記各円板面枠体において直交関係にある４本の梁と外周円環状板との繋がり部分４個所間に両端をボルト固定して取り付けてあり、
前記収納保持部品は７個の半固定ガイド材と１個のストッパ部品とからなり、
半固定ガイド材の６個は、前記間隔棒が取り付けられていない開口部分から円板面枠体中央に向けて底面垂直の横向き姿勢で装入した箱型コンテナの装入方向とは直角方向の対向２側壁の動きをガイド、規制する棒材で、対向２側壁の各側壁外側に接近した位置に片側３個ずつが直線状に並ぶようにして前記梁のボルト挿通孔を利用したボルト固定にて両側梁間に取り付けてあり、
残り１個の半固定ガイド材とストッパ部品は箱型コンテナの前記装入方向で対向する２側壁の動きを規制するためのもので、前記開口部分の梁と装入方向前方の梁に円板面枠体中心から等距離位置に、半固定ガイド材はボルト挿通孔を利用して両側梁間、ストッパ部品はボルト挿通孔を利用して片側梁にそれぞれボルト固定してあり、
前記ストッパ部品は前記間隔棒の１／５乃至１／４の長さの棒材で、対向する円板面枠体に向けて倒した姿勢と、取り付けた円板面枠体に平行に倒した姿勢をとることが可能で、それら二つの姿勢が半固定状態に選択維持されるように構成されており、
前記回転軸は２個で、前記左右の円板面枠体の中心円環状板に外方に向けて取り付けてあることを特徴とする箱形コンテナ回転駆動機構。
【請求項３】
請求項１又は２に記載の箱形コンテナ回転駆動機構において、前記コンテナ収納部に取り付けた２個の回転軸の一方の回転軸の軸芯部には、コンテナ収納部内側から雌ねじを切った孔が形成され、該雌ねじ孔には収納したコンテナの底面板の位置と動きを規制するための円形板であって片面中央に雄ねじを切った雄ねじ棒を垂直に取り付けた底面規制板が雄ねじ棒を前記雌ねじ孔にねじ込んで取り付けられ、そのねじ込んだ状態が緩まないように雄ねじ棒に取り付けたナットが回転軸面にねじ締め状態で取り付けてあることを特徴とする箱形コンテナ回転駆動機構。
【請求項４】
請求項１乃至３の何れかに記載の箱形コンテナ回転駆動機構を箱体で囲い、該箱体内壁面に、回転する箱形コンテナに向けて洗浄液、温風を吹きつける噴射管を取り付けたことを特徴とする箱形コンテナ洗浄装置。
【発明の詳細な説明】
【技術分野】
【０００１】
本発明は箱形コンテナを回転駆動させながら洗浄液、温風を吹きつけて洗浄、乾燥させる箱形コンテナ洗浄装置、及びそれに使用する箱形コンテナ回転駆動機構であって、箱形コンテナをその底面を垂直にした横向き姿勢で保持し、底面に垂直な水平軸周りに回転させる箱形コンテナ回転駆動機構に関する。
【背景技術】
【０００２】
青果物や小物物品を収納して運搬する際の容器として上面が開口した四角箱型のコンテナが多用される。このコンテナは一定の規格に基づいて製作され、多くはプラスチック製で反復使用に耐えうる強度を有し、荷痛みを防ぐばかりでなく荷役の効率化、運搬物品の包装の簡素化に役立つ。コンテナは反復使用すると汚れるため時折、洗浄を必要とする。
【０００３】
従来、コンテナの洗浄は手作業で行なわれてきたが、手作業は多大な労力と手間を必要として効率的でない。対策としてコンテナを洗浄する装置が各種提案されてきた。例えば、特許文献１には横向き姿勢にした箱形コンテナの周壁部を支持して前後向き線回りに回転可能な第一ロール状ブラシを左右方向へ並設したコンテナ支持部と、箱形コンテナの周壁部の内面を押し下げて該周壁部を第一ロール状ブラシに圧接させるための先端部が箱形コンテナ内底面に圧接する単一の第二ロール状ブラシと、第一、第二のロール状ブラシを正逆任意方向へ回転させる駆動手段と、箱形コンテナ底外面に当接して摺擦作用を付与するブラシ摺擦手段とを備え、第一、第二のロール状ブラシ及びブラシ摺擦手段による摺擦箇所に水を供給する水供給手段を設けた箱型コンテナの洗浄装置が開示されている。しかし、この装置は構造が複雑である上、水に濡れたコンテナを素早く乾燥させる手段について考慮されていない。
【０００４】
また、特許文献２には被洗浄物である箱状容器を搬送するコンベヤの上に容器をまたぐ架台を設けた上で、水平支持した回転軸とその回転軸周りに取付けたブラシからなるブラシユニットと、ブラシユニットを架台に対し昇降させてブラシユニットを被洗浄物である容器の壁面に沿って移動させる昇降手段と、ブラシユニットの回転軸を回転させる回転手段とにより容器外表面を洗浄する箱状容器の洗浄装置が開示されている。容器の内表面を洗浄するには洗浄ブラシユニットを横移動させる横行手段を追加する。この装置の場合、洗浄ブラシユニットは昇降手段と横行手段、ブラシを回転させる回転手段を必要として複雑である上、箱の底面裏側は洗浄できない問題がある。また、水に濡れたコンテナを素早く乾燥させる方法については説明がない。
【先行技術文献】
【特許文献】
【０００５】
【特許文献１】特許第４６４４０７３号公報
【特許文献２】特開２００１−９４０４号公報
【発明の概要】
【発明が解決しようとする課題】
【０００６】
本発明は、従来技術のこうした問題点を解決するためになされたもので、その課題は箱形コンテナを洗浄、乾燥させる箱形コンテナ洗浄装置に使用する箱形コンテナ回転駆動機構であって、箱形コンテナをその底面を垂直にした横向き姿勢で保持し、底面に垂直な水平軸周りに回転させる箱形コンテナ回転駆動機構を提供することにある。
【課題を解決するための手段】
【０００７】
前記課題を解決するための請求項１に記載の発明は、上面が開口した四角箱型コンテナを洗浄、乾燥させる箱形コンテナ洗浄装置に使用する箱形コンテナ回転駆動機構であって、該回転駆動機構は箱型コンテナを収納保持するコンテナ収納部と、該コンテナ収納部を支持して回転駆動する回転駆動装置とからなり、コンテナ収納部は厚みある円板体形状に形成された籠状枠体で、円板面を垂直にした状態にて前記コンテナをその底面を円板面に平行にした垂直横向き姿勢で収納保持できるように構成され、回転駆動装置は円板面を垂直にした状態のコンテナ収納部の両円板面中央から外方に突出する回転軸を支持してコンテナ収納部を該軸回りに回転駆動させるように構成されていることを特徴とする箱形コンテナ回転駆動機構である。
【０００８】
このような構成によれば、洗浄対象である箱形コンテナを、その底面を垂直にした横向き姿勢にし、その底面に垂直な軸回りに回転させることができる。そのような姿勢で回転されることができれば、周りから洗浄液、温風を吹きつけることで箱形コンテナの内外面を余すところなく綺麗に洗浄することができる。
【０００９】
また、請求項２に記載の発明は、請求項１に記載の箱形コンテナ回転駆動機構において、コンテナ収納部は左右の円板面枠体と、両円板面枠体を平行な一定間隔に維持する４本の間隔棒と、箱型コンテナを収納保持するための収納保持部品と、回転軸とからなり、左右の円板面枠体は、円板面外周を形成する外周円環状板と、円板面中心部を形成する中心円環状板と、該中心円環状板と外周円環状板とを繋ぐ等間隔放射状に設けた８本の狭幅板状梁とを一体成形して構成され、各梁にはボルト挿通孔が円板径方向に等間隔で多数形成されており、間隔棒は、各円板面枠体において直交関係にある４本の梁と外周円環状板との繋がり部分４個所間に両端をボルト固定して取り付けてあり、収納保持部品は７個の半固定ガイド材と１個のストッパ部品とからなり、半固定ガイド材の６個は、間隔棒が取り付けられていない開口部分から円板面枠体中央に向けて底面垂直の横向き姿勢で装入した箱型コンテナの装入方向とは直角方向の対向２側壁の動きをガイド、規制する棒材で、対向２側壁の各側壁外側に接近した位置に片側３個ずつが直線状に並ぶようにして梁のボルト挿通孔を利用したボルト固定にて両側梁間に取り付けてあり、残り１個の半固定ガイド材とストッパ部品は箱型コンテナの装入方向で対向する２側壁の動きを規制するためのもので、前記開口部分の梁と装入方向前方の梁に円板面枠体中心から等距離位置に、半固定ガイド材はボルト挿通孔を利用して両側梁間、ストッパ部品はボルト挿通孔を利用して片側梁にそれぞれボルト固定してあり、ストッパ部品は間隔棒の１／５乃至１／４の長さの棒材で、対向する円板面枠体に向けて倒した姿勢と、取り付けた円板面枠体に平行に倒した姿勢をとることが可能で、それら二つの姿勢が半固定状態に選択維持されるように構成されており、前記回転軸は２個で、左右の円板面枠体の中心円環状板に外方に向けて取り付けてあることを特徴とする箱形コンテナ回転駆動機構である。
【００１０】
このような構成とすれば、上面が開口した四角箱型コンテナを、その底面を垂直にした横向き姿勢で収納保持でき、その状態でコンテナ底面に垂直な軸回りに回転させることができる。
【００１１】
また、請求項３に記載の発明は、請求項１又は２に記載の箱形コンテナ回転駆動機構において、前記コンテナ収納部に取り付けた２個の回転軸の一方の回転軸の軸芯部には、コンテナ収納部内側から雌ねじを切った孔が形成され、該雌ねじ孔には収納したコンテナの底面板の位置と動きを規制するための円形板であって片面中央に雄ねじを切った雄ねじ棒を垂直に取り付けた底面規制板が雄ねじ棒を前記雌ねじ孔にねじ込んで取り付けられ、そのねじ込んだ状態が緩まないように雄ねじ棒に取り付けたナットが回転軸面にねじ締め状態で取り付けてあることを特徴とする箱形コンテナ回転駆動機構である。
【００１２】
このような底面規制板を取り付ければ、その取り付け位置を調整することで底の浅い箱形コンテナも安定して収納し、回転させることができる。
【００１３】
また、請求項４に記載の発明は、請求項１乃至３の何れかに記載の箱形コンテナ回転駆動機構を箱体で囲い、該箱体内壁面に、回転する箱形コンテナに向けて洗浄液、温風を吹きつける噴射管を取り付けたことを特徴とする箱形コンテナ洗浄装置である。
【００１４】
このような構成の箱形コンテナ洗浄装置は、箱型コンテナをその底面を垂直にし、底面に垂直な回転軸回りに回転させながら洗浄液、温風で洗浄、乾燥させるため箱型コンテナの内面、外面全体をきれいにすることができる。
【図面の簡単な説明】
【００１５】
【図１】箱形コンテナ洗浄装置１の正面側から見た透視構成図である。
【図２】箱形コンテナ５を回転させながら洗浄している箱形コンテナ洗浄装置１を正面側から見た透視図である。
【図３】箱形コンテナ回転駆動機構２の左側面図と正面図である。
【図４】コンテナ収納部６の構成を示す斜視図である。
【図５】コンテナ収納部６への箱型コンテナ５の装入法説明図である。
【図６】コンテナ収納部６へ箱型コンテナ５を収納した状態の左側面図である。
【図７】箱型コンテナ５を収納保持した箱形コンテナ回転駆動機構２の左側面図と正面図である。
【図８】底面規制板９を取り付けたコンテナ収納部６の取り付け側正面図と、取り付け部の拡大した縦断面図である。
【発明を実施するための形態】
【００１６】
以下、本発明に係る箱形コンテナ洗浄装置及びそれに使用する箱形コンテナ回転駆動機構の一実施形態について図面を参照して説明する。本発明の箱形コンテナ洗浄装置は、上面が開口した四角箱型コンテナをその底面を垂直横向き姿勢とし、その底面に垂直な軸回りに回転させながら洗浄液、洗浄水を順次、吹きつけて洗浄し、最後に乾燥空気を吹きつけて乾燥させる洗浄装置である。図１はその箱形コンテナ洗浄装置１の正面側から見た透視構成図である。箱形コンテナ洗浄装置１は箱形コンテナ回転駆動機構２と、それを密閉状態で収納する箱体３、その箱体内壁面にとり付けた洗浄液、温風を吹きつけるための複数の噴射管４から構成される。図２は、箱形コンテナ回転駆動機構２にて箱形コンテナ５を回転させながら洗浄している状態を正面側から見た透視図である。
【００１７】
図３の（１）は箱形コンテナ回転駆動機構２の左側面図、図３の（２）は箱形コンテナ回転駆動機構２の正面図である。回転駆動機構２は箱型コンテナ５を収納保持するコンテナ収納部６と、該コンテナ収納部６を支持して回転駆動する回転駆動装置７から構成される。コンテナ収納部６は籠状枠体で、全体が厚みある円板体形状にされており、上面が開口した四角箱型コンテナ５を、その底面を籠状枠体の円板面に平行にした状態で収納保持する。図４はその外観斜視図である。コンテナ収納部６の両円板面中央には回転軸８が外方に突出して取り付けられている。また、内部には後述するコンテナ５の底面規制板９が取り付けられている。図４の斜視図ではそれら部品は省いてある。
【００１８】
図４の斜視図に示すように、コンテナ収納部６の厚みある円板体形状の籠状枠体１０は、左右の円板面枠体１０ａと、両円板面枠体１０ａを平行な一定間隔に維持する４本の間隔棒１０ｂと、箱型コンテナ５を収納保持するための収納保持部品１０ｃ、１０ｄから構成される。左右の円板面枠体１０ａは、円板面外周を形成する外周円環状板１０ｅと、円板面中心部を形成する中心円環状板１０ｆと、該中心円環状板１０ｆと外周円環状板１０ｅとを繋ぐ等間隔放射状に設けられた８本の狭幅板状梁１０ｇとを一体成形して構成されている。各梁１０ｇには、ボルト挿通孔１０ｈが円板径方向に等間隔で多数形成されている。
【００１９】
４本の間隔棒１０ｂは、各円板面枠体１０ａにおいて直交関係にある４本の梁１０ｇと外周円環状板１０ｅとの繋がり部分４個所間に、両端をボルト固定して取り付けてある。箱型コンテナ５はその底面を垂直、且つ円板面枠体１０ａの円板面に平行にした横向き姿勢にし、間隔棒１０ｂが取り付けられていない一開口部分から円板面枠体１０ａの中央に向けて装入する。図５はコンテナ収納部６の円板体形状の枠体１０への箱型コンテナ５の装入の仕方説明図、図６は装入を終えて保持状態とした左側面図である。
【００２０】
前記収納保持部品１０ｃ、１０ｄは、７個の半固定ガイド材１０ｃと１個のストッパ部品１０ｄとからなる。７個の半固定ガイド材１０ｃのうちの６個は、横向き姿勢の箱型コンテナ５の装入方向とは直角方向の対向２側壁（図５、図６における上下壁）の動きをガイド、規制するための棒材である。それらは箱型コンテナ５の対向２側壁（図５、図６における上下壁）の各側壁外側に接近した位置に、片側３個ずつ（図５、図６における上壁側に３個、下壁側に３個）が直線状に並ぶように、梁１０ｇのボルト挿通孔１０ｈを利用して両側梁１０ｇ間にボルト固定で張り渡してある。残り１個の半固定ガイド材１０ｃは、箱型コンテナ５の装入方向前側壁の位置を規制するもので、装入方向前方の両側梁１０ｇ間にボルト挿通孔１０ｈを利用してボルト固定してある。
【００２１】
ストッパ部品１０ｄは、装入した箱型コンテナ５が装入に使用した開口部分から抜け落ちるのを防止するためのものである。装入に使用した開口部分の片側梁１０ｇに図５に示すように取り付けてある。ストッパ部品１０ｄは、間隔棒１０ｂの１／５乃至１／４の長さの棒材であり、対向する円板面枠体１０ａに向けて倒した姿勢と、取り付けた円板面枠体１０ａに平行に倒した姿勢をとることが可能であり、それら二つの姿勢を半固定状態に選択できるように構成されている。箱型コンテナ５の装入時には、ストッパ部品１０ｄは図５に示すように円板面枠体１０ａに平行な姿勢とし、装入後は図６に示すように対向する円板面枠体１０ａに向けて倒して箱型コンテナ５が抜け落ちるのを防ぐ。図７の（１）は箱型コンテナ５を収納保持した状態の箱形コンテナ回転駆動機構２の左側面図、図７の（２）はその正面図である。
【００２２】
コンテナ収納部６の内部には、必要に応じて底面規制板９を取り付ける。底面規制板９は、収納保持した箱型コンテナ５の底面板の位置と動きを規制し、底の浅い箱型コンテナも安定して保持収納できるようにするものである。底面規制板９は、コンテナ収納部６に取り付けた片側回転軸８の軸芯部に取り付ける。底面規制板９は、円形板の片側中央に雄ねじを切った雄ねじ棒９ａを垂直に取り付けたものである。図８の（１）は底面規制板９を取り付けたコンテナ収納部６の取り付け側いから見た正面図、図７の（２）は回転軸８への取り付け部の拡大した縦断面図である。回転軸８の軸芯部にはコンテナ収納部６内側から雌ねじを切った孔８ａを形成し、その雌ねじ孔８ａに底面規制板９の雄ねじ棒９ａをねじ込んで取り付ける。そのねじ込んだ状態が緩まないように、雄ねじ棒９ａに取り付けたナット９ｂを回転軸面にねじ締め状態にする。
【００２３】
このような構成のコンテナ収納部６の円板面枠体１０ａの外側中央部には回転軸８を取り付ける。その回転軸８を図１に示すように回転駆動機構２で水平に支持し、回転駆動機構２の減速機付きモータで回転駆動させる。コンテナ収納部６は水平にされた回転軸８回りに回転する。これによりコンテナ収納部６に収納保持された箱型コンテナ５は、その底面板を垂直にした状態で底面板に垂直な軸回りに回転する。その回転する箱型コンテナ５に、図２に示したように箱体３の内壁面に取り付けた複数の噴射管４を通して洗浄液、温風を順次、吹きつけて箱型コンテナ５を洗浄、乾燥させる。
【００２４】
以上説明した箱形コンテナ洗浄装置１は、箱型コンテナ５をその底面を垂直にし、底面に垂直な回転軸回りに回転させながら洗浄液、温風で洗浄、乾燥を行なうため箱型コンテナの内面、外面全体を余すところなくきれいに洗浄することができる。
【符号の説明】
【００２５】
図面中、１は箱形コンテナ洗浄装置、２は箱形コンテナ回転駆動機構、３は箱体、４は噴射管、５は四角箱型コンテナ、６はコンテナ収納部、７は回転駆動装置、８は回転軸、９は底面規制板、１０は籠状枠体、１０ａは円板面枠体、１０ｂは間隔棒、１０ｃは半固定ガイド材、１０ｄはストッパ部品、１０ｅは外周円環状板、１０ｆは中心円環状板、１０ｇは梁、１０ｇはボルト挿通孔を示す。
【図１】
2019150749.tif 000003
【図２】
2019150749.tif 000004
【図３】
2019150749.tif 000005
【図４】
2019150749.tif 000006
【図５】
2019150749.tif 000007
【図６】
2019150749.tif 000008
【図７】
2019150749.tif 000009
【図８】
2019150749.tif 000010